(57)【特許請求の範囲】
【請求項１】
発光点と、この発光点が第１の焦点となる反射面が円弧状に凹陥された集光型のリフレクタとで構成された光源からの光をスリットを介して原稿上に走査し、該原稿からの透過光又は反射光を固体撮像素子の受光面に結像させて原稿を読み取る画像読取装置であって、
前記スリットによるスリット光は、前記走査方向に垂直の方向を長手方向とするスリット光であり、前記固体撮像素子の受光面でのスリット光の幅が、前記固体撮像素子の受光面の受光幅の少なくとも1.5 倍であり、前記スリット光の幅の中心と、前記固体撮像素子の受光面の受光幅の中心とほぼ一致するように設定されており、かつ前記スリット光の幅内における光量変動が20％以内となるように、前記リフレクタが２分割され、それぞれの第１焦点を同一として前記発光点が配置され、前記原稿上で第２の焦点を互いに照明領域中心から走査方向にずれた別の位置としたことを特徴とする画像読取装置。
【発明の詳細な説明】
【０００１】
【発明の属する技術分野】
本発明は、光源からの光をスリット光を介して原稿へ照射し、この透過又は反射原稿を固体撮像素子で読み取る画像読取装置に関する。
【０００２】
【従来の技術及び発明が解決しようとする課題】
原稿画像に光を照射し、その反射又は透過光をレンズを介して固体撮像素子（ＣＣＤセンサ）へ案内し、撮像する画像読取光学系において、前記光を主走査方向を長手方向とするスリット光とし、このスリット光を副走査方向へ移動させながら、原稿画像を読み取るようになっている。
【０００３】
スリット光のスリット幅は、通常はＣＣＤセンサによる読取幅よりも大きく、その光量分布は、光源の背後を覆うリフレクタの集光位置が一点になるように設定されているため、比較的鋭角なピークを持つ所謂ガウス分布となっている。
【０００４】
このため、副走査移動時に振動等でスリット光の照射位置が変移し、前記ＣＣＤセンサの読取幅の範囲内で光量変動が発生することがある。
【０００５】
本発明は上記事実を考慮し、画像読取時に振動によってスリット光の照射位置がずれても固体撮像素子により読み取る領域（読取幅）内で透過又は反射光の光量変動が生じることを防止することができる画像読取装置を得ることが目的である。
【０００６】
【課題を解決するための手段】
請求項１に記載の発明は、発光点と、この発光点が第１の焦点となる反射面が円弧状に凹陥された集光型のリフレクタとで構成された光源からの光をスリットを介して原稿上に走査し、該原稿からの透過光又は反射光を固体撮像素子の受光面に結像させて原稿を読み取る画像読取装置であって、
前記スリットによるスリット光は、前記走査方向に垂直の方向を長手方向とするスリット光であり、前記固体撮像素子の受光面でのスリット光の幅が、前記固体撮像素子の受光面の受光幅の少なくとも1.5 倍であり、前記スリット光の幅の中心と、前記固体撮像素子の受光面の受光幅の中心とほぼ一致するように設定されており、かつ前記スリット光の幅内における光量変動が20％以内となるように、前記リフレクタが２分割され、それぞれの第１焦点を同一として前記発光点が配置され、前記原稿上で第２の焦点を互いに照明領域中心から走査方向にずれた別の位置としたことを特徴としている。
【０００７】
請求項１に記載の発明によれば、固体撮像素子の受光面でのスリット光の幅内における光量が所定の領域内にすれば、振動等でスリット光の照射位置が変動しても、読取光量に影響がない。このため、振動に起因する読取光量むらの発生をなくすことができる。
【０００８】
すなわち、リフレクタが２分割され、原稿上で第２の焦点を互いに照明領域中心から走査方向にずれた別の位置とし、前記スリット光の幅が、前記固体撮像素子の受光面の受光幅の少なくとも1.5 倍の幅寸法とされ、前記スリット光の幅の中心と、前記固体撮像素子の受光面の受光幅の中心とが一致するように設定した状態で、スリット光の幅内における光量変動が20％以内となるように光源からの光束を案内する。
さらに、光源は、発光点と、この発光点が第１の焦点となる反射面が円弧状に凹陥された集光型のリフレクタとで構成されているため、光源からの光を、所定の方向へ効率よく案内する。
【０００９】
このように、振動でずれる幅を実験的、経験的に求め、その求めた幅よりも若干広めの幅としている。このため、これ以上のずれは通常の使用（画像を読み取る場合に生じる機械的な振動及びその共振振動を含む）では、この範囲を超えることはない。
【００１０】
また、この範囲（読取幅の1.5 倍以上）での光量変動が読取時に影響する度合いであるが、これは、光源の明るさ、原稿の種類、固体撮像素子の読取精度、ダイナミックレンジ等によってさまざまであるが、これらを加味すると、経験的、実験的に最大限20％の光量変動を許容する。これ以上の光量変動が起きると、最大の振動があったときに、例えば、光源を副走査方向へ移動しながら読み取る場合に、副走査方向に隣合う画素間で視認できるむらが出る可能性があるためである。
【００１１】
【発明の実施の形態】
図１には、本発明の実施の形態に係る画像読取／記録装置１０の概略全体構成図が示されている。
【００１２】
この画像読取／記録装置１０は、画像読取部であるスキャナ部ＳＣＮと、画像を記録するプリンタ部ＰＲＴと、で構成されており、機台１２上にスキャナ部ＳＣＮが配設されている。また、プリンタ部ＰＲＴは、機台１２の内部に配設されている。
（スキャナ部ＳＣＮ）
図１には、本実施の形態に係るスキャナ部ＳＣＮが示されている。
【００１３】
スキャナ部ＳＣＮの箱型のケーシング２００によって被覆されており、上面中央部には、矩形の開口部が設けられ、透明のプラテンガラス２０２が嵌め込まれている。プラテンガラス２０２は、平面原稿載置台としての機能を有し、その上には、平面画像を記録した反射原稿が下向きに載置されるようになっている。
【００１４】
図２に示される如く、プラテンガラス２０２上には、開閉可能な押さえカバー２０４が設けられている。この押さえカバー２０４は、ケーシング２００の奥側に設けられた光源ユニット駆動部２３４のカバー２３４Ａにピン２０４Ａを介して取り付けられている。押さえカバー２０４にはヒンジ部２０４Ｂが設けられ、このヒンジ部２０４Ｂを中心に回動可能となっている。
【００１５】
従って、反射原稿の場合には、この押さえカバー２０４の閉止状態では、原稿を上からプラテンガラス２０２の方向に押圧保持することができる。
【００１６】
光源ユニット駆動部２３４には、プラテンガラス２０２に向けられた側の側面に図１の左右方向を長手方向とするスリット状の切欠部４００が形成されている。
【００１７】
この切欠部４００からはアーム部（図示省略）がプラテンガラス２０２方向に延出されている。このアーム部に、透過原稿走査ユニット２３２が連結されており、プラテンガラス２０２上を図１の左端から右端へと往復移動するようになっている。なお、この透過原稿走査ユニット２３２は、前記押さえカバー２０４の使用時には、プラテンガラス２０２よりもさらに図１の左側に退避されている。
【００１８】
透過原稿走査ユニット２３２には、ハロゲンランプ４０４及びリフレクタ４０６を備えた透過原稿用光源４０８が設けられている。この透過原稿用光源４０８は、プラテンガラス２０２の幅方向に（図１の手前から奥側にかけて）照射するようになっており、プラテンガラス２０２に原稿が載置されたときの主走査方向となる。
【００１９】
ここで、この透過原稿用光源４０８は、プラテンガラス２０２に透過原稿が載置されたときに適用されるものであり、この場合は、前記押さえカバー２０４を開放状態とし、透過原稿走査ユニット２３２の移動空間から退避させておく。
【００２０】
ケーシング２００の上面手前側には、図示しない操作／表示パネルが配設され、各種の機能の指示、また装置内の動作状態の表示等がなされるようになっている。
【００２１】
ケーシング２００内には、走査部２０８が配設されている。走査部２０８は、コントローラ２０９によって制御される。この走査部２０８は、原稿画像の幅方向（主走査方向）に延出されたハロゲンランプ及びリフレクタを備えた反射原稿用反射原稿用光源２１０、この反射原稿用光源２１０と共に原稿画像の幅方向に延出された第１のミラー２１２が組み込まれた第１のキャリッジ２１４と、第２のミラー２１６及び第３のミラー２１８が組み込まれた第２のキャリッジ２２０と、絞り２２２、色調整フィルタ及びＮＤフィルタ等で４枚構成とされるフィルタ群２２４、結像のためのレンズ２２６によって構成される固定ユニット２２８と、で構成されている。
【００２２】
第１のキャリッジ２１４では、反射原稿用光源２１０からの光をプラテンガラス２０２面上に載置された原稿に照射し、その反射光（垂下する光軸の光）を第１のミラー２１２で９０°偏向し、第２のキャリッジ２２０の第２のミラー２１６へ案内する役目を有する。また、第１のキャリッジ２１４の第１のミラー２１２は、前記透過原稿用光源４０８のから照射され、透過原稿を通過した透過光を第２のミラー２１６へ案内するようになっている。
【００２３】
第２のキャリッジ２２０では、第２のミラー２１６の反射面が前記第１のミラー２１２と対向し、かつ平行な状態とされており、第１のミラー２１２から光を受けると、第２のミラー２１６で９０°偏向し、さらに第３のミラー２１８で９０°偏向する。
【００２４】
この第３のミラー２１８で最終的にプラテンガラス２０２の面と平行とされた光は、固定ユニット２２８を経て、ＣＣＤラインセンサ２３０の受光部へと至るようになっている。なお、本実施の形態のＣＣＤラインセンサ２３０の受光部は、各色（ＲＧＢ）毎に独立して受光量を検出する３本のラインで構成されている。
【００２５】
この固定ユニット２２８では、絞り２２２やフィルタ群２２４のＮＤフィルタによって光量の調整が行われ、フィルタ群２２４の色調整フィルタによって各色バランスの調整が行われる。また、レンズ２２６によって、原稿画像がＣＣＤラインセンサ２３０の受光面上で結像する構成となっている。なお、色調整フィルタのレンズ表面には、ＩＲカットフィルタに相当するＩＲカット膜が蒸着されている。
【００２６】
第１のキャリッジ２１４及び第２のキャリッジ２２０は、プラテンガラス２０２の下方で原稿面に沿って副走査方向に往復移動する。このとき、原稿反射（又は透過）位置からＣＣＤラインセンサ２３０の受光部までの光路長を常に一定に維持するべく、第２のキャリッジ２２０が第１のキャリッジ２１４の１／２の搬送速度で同一方向へ移動するようになっている。この第１のキャリッジ２１４及び第２のキャリッジ２２０の１往復動作が１画像分の走査であり（往路時に画像読取）、これにより、プラテンガラス２０２上の原稿画像を読み取ることができる。
【００２７】
なお、ケーシング２００上面には、プラテンガラス２０２の上を所定の隙間を持って主走査方向へ移動する透過原稿走査ユニット２３２が配設されている。この透過原稿走査ユニット２３２は、プラテンガラス２０２上に透過原稿が載置された場合の光源として適用されるものである。
【００２８】
すなわち、この透過原稿走査ユニット２３２は、光源ユニット駆動部２３４の駆動力により、前記第１のキャリッジ２１４と同等の動作を行う。
【００２９】
ここで、透過原稿を走査する場合には、第１のキャリッジ２１４と同期がとられて透過原稿走査ユニット２３２が動作する。このとき、第１のキャリッジ２１４の反射原稿用光源２１０は消灯しておき、透過原稿走査ユニット２３２内の透過原稿用光源４０８が点灯することにより、第１のミラー２１２で透過原稿画像を得ることができる。その後の動作は、反射原稿の場合と同様である。
【００３０】
ここで、透過原稿用光源４０８及び反射原稿用光源２１０のいずれであっても、原稿に照射される光は、所定のスリット幅を持つ帯状の光束である。本実施の形態では、このスリット光（帯状の光束）の光量分布が、ＣＣＤラインセンサ２３０の読取幅に応じて、調整されている。以下、透過原稿用光源４０８を例にとり、その詳細を説明する。
【００３１】
図３（Ａ）及び（Ｂ）には、透過原稿用光源の拡大図が示されている。まず、図３（Ａ）は、従来の光源構造であり、ハロゲンランプ４０４Ｐの背後（光を案内する方向とは反対方向）には、単一のリフレクタ４０６Ｐが配設されている。また、透過原稿の近傍には、スリット板４０７Ｐが配設され、所定幅のスリット光が透過原稿へ案内されるようになっている。
【００３２】
リフレクタ４０６Ｐは、ハロゲンランプ４０４Ｐから照射される光を反射して、所定の方向へ案内する役目を有しており、このリフレクタ４０６Ｐを背後に配置することによって、効率よく光を原稿へ案内することができる。通常、リフレクタ４０６Ｐは、その反射面が円弧状に凹陥されており、その第１焦点位置前記ハロゲンランプ４０４Ｐが位置する。また、ハロゲンランプ４０４Ｐからの光のリフレクタ４０６Ｐでの反射光は、照明領域中心と第１焦点を結ぶ直線上に第２焦点を持っている。この第２の焦点の光量分布は図４の鎖線で示すようになり、照明領域の中央付近の比較的狭い幅で光量を高く、急勾配で光量が下がっていることがわかる。これでは、ＣＣＤラインセンサ２３０の読取幅に対して光量な均一な幅に余裕がなく、第１のキャリッジ２１４及び第２のキャリッジ２２０の移動に起因する個々の振動及びほかの部材に影響を及ぼす共振振動で光の照射位置がずれると、ＣＣＤラインセンサ２３０の読取精度に悪影響を及ぼす。
【００３３】
これに対して、本実施の形態では、図３（Ｂ）に示される如く、２分割された左右のリフレクタ４０６を配設し、それぞれの第１の焦点を同一とし（ハロゲンランプ４０４の配置位置）、かつスリット板４０７を通過し、透過原稿上での第２の焦点が照明領域中心から左右にずれた、別の位置としている。
【００３４】
これを光量分布で表すと、図４の実線で示されるような特性となる。すなわち、光量がほぼ均一な幅が、ＣＣＤラインセンサ２３０の約1.5 倍となり、かつ、この範囲内での最大光量に対する最小光量の割合が約80％となる。
【００３５】
すなわち、上記図３（Ｂ）に示される如く、２個のリフレクタ４０６でそれぞれ異なる第２焦点を持つようにし、振動に起因する読取誤差を抑制している。
【００３６】
図５には、反射原稿用光源２１０の拡大図が示されており、この反射原稿用光源２１０においても、ハロゲンランプ２１０Ａの位置を第１焦点（共通）とする一対のリフレクタ２１０Ａを配設し、それぞれスリット板２１０Ｃのスリットを通過した反射原稿上の第２焦点位置を、反射原稿画像上で中心振り分けで異なる位置としている。
（プリンタ部ＰＲＴ）
図１及び図２には、画像読取／記録装置１０の機台１２内のプリンタ部ＰＲＴが示されている。
【００３７】
機台１２の内部には、感光材料１６を収納する感材マガジン１４が配置されており、感材マガジン１４から引き出されたこの感光材料１６の感光（露光）面が左方へ向くように感光材料１６が感材マガジン１４にロール状に巻き取られている。
【００３８】
感材マガジン１４の感光材料取出し口の近傍には、ニップローラ１８およびカッタ２０が配置されており、感材マガジン１４から感光材料１６を所定長さ引き出した後に切断することができる。カッタ２０は、例えば固定刃と移動刃から成るロータリータイプのカッタとされており、移動刃を回転カム等によって上下に移動させて固定刃と噛み合わせ感光材料１６を切断することができる。
【００３９】
カッタ２０の側方には、複数の搬送ローラ２４、２６、２８、３０、３２、３４が順に配置されており、各搬送ローラの間には図示しないガイド板が配設されている。所定長さに切断された感光材料１６は、まず搬送ローラ２４、２６の間に設けられた露光部２２へ搬送される。
【００４０】
この露光部２２の左側には露光装置３８が設けられている。露光装置３８には、３種のＬＤ、レンズユニット、ポリゴンミラー、ミラーユニットが配置されており（何れも、図示省略）、露光装置３８から光線Ｃが露光部２２に送られて、感光材料１６が露光されるようになっている。
【００４１】
なお、ＬＤをポリゴンミラーで振り子の如く走査する構成を用いず、ＬＥＤを主走査方向に配列して１ラインを同時に露光する構成であってもよい。
【００４２】
さらに、露光部２２の上方には、感光材料１６をＵ字状に湾曲させて搬送するＵターン部４０及び画像形成用溶媒を塗布する為の水塗布部５０が設けられている。尚、本実施の形態において画像形成用溶媒としては水が用いられる。
【００４３】
感材マガジン１４から上昇し露光部２２にて露光された感光材料１６は、搬送ローラ２８、３０によりそれぞれ挟持搬送されてＵターン部４０の上側寄りの搬送経路を通過しつつ水塗布部５０へ送り込まれる。
【００４４】
一方、図１に示すように、機台１２内の左上端部には受像材料１０８を収納する受材マガジン１０６が配置されている。この受像材料１０８の画像形成面には媒染剤を有する色素固定材料が塗布されており、受材マガジン１０６から引き出さ５た受像材料１０８の画像形成面が下方へ向くように受像材料１０８が受材マガジン１０６にロール状に巻き取られている。
【００４５】
受材マガジン１０６の受像材料取出し口の近傍には、ニップローラ１１０が配置されており、受材マガジン１０６から受像材料１０８を引き出すと共にそのニップを解除することができる。
【００４６】
ニップローラ１１０の側方にはカッタ１１２が配置されている。カッタ１１２は前述の感光材料用のカッタ２０と同様に、例えば固定刃と移動刃から成るロータリータイプのカッタとされており、移動刃を回転カム等によって上下に移動させて固定刃と噛み合わせることにより、受材マガジン１０６から引き出された受像材料１０８を感光材料１６よりも短い長さに切断するようになっている。
【００４７】
カッタ１１２の側方には、搬送ローラ１３２、１３４、１３６、１３８及び図示しないガイド板が配置されており、所定長さに切断された受像材料１０８を熱現像転写部１２０側に搬送できるようになっている。
【００４８】
図１に示す如く、熱現像転写部１２０は、それぞれ複数の巻き掛けローラ１４０に巻き掛けられて、それぞれ上下方向を長手方向としたループ状にされた一対の無端ベルト１２２、１２４を有している。従って、これらの巻き掛けローラ１４０のいずれかが駆動回転されると、これらの巻き掛けローラ１４０に巻き掛けられた一対の無端ベルト１２２、１２４がそれぞれ回転される。
【００４９】
これら一対の無端ベルト１２２、１２４の内の図上、右側の無端ベルト１２２のループ内には、上下方向を長手方向とした平板状に形成された加熱板１２６が、無端ベルト１２２の左側の内周部分に対向しつつ配置されている。この加熱板１２６の内部には、図示しない線状のヒータが配置されており、このヒータによって加熱板１２６の表面を昇温して所定の温度に加熱できるようになっている。
【００５０】
従って、感光材料１６は、搬送経路の最後の搬送ローラ３４により熱現像転写部１２０の一対の無端ベルト１２２、１２４間に送り込まれる。また、受像材料１０８は感光材料１６の搬送に同期して搬送され、感光材料１６が所定長さ先行した状態で、搬送経路の最後の搬送ローラ１３８により熱現像転写部１２０の一対の無端ベルト１２２、１２４間に送り込まれて、感光材料１６に重ね合わせられる。
【００５１】
この場合、受像材料１０８は感光材料１６よりも幅方向寸法および長手方向寸法がいずれも小さい寸法となっているため、感光材料１６の周辺部は四辺とも受像材料１０８の周辺部から突出した状態で重ね合わせられることになる。
【００５２】
以上より、一対の無端ベルト１２２、１２４によって重ね合わされた感光材料１６及び受像材料１０８は、重ね合わせられた状態のままで一対の無端ベルト１２２、１２４によって挟持搬送されるようになる。さらに、重ね合わされた感光材料１６と受像材料１０８が、一対の無端ベルト１２２、１２４間に完全に収まった時点で、一対の無端ベルト１２２、１２４は回転を一旦停止し、挟持した感光材料１６と受像材料１０８を加熱板１２６で加熱する。感光材料１６は、この挟持搬送時及び停止時において無端ベルト１２２を介して加熱板１２６により加熱されることとなり、加熱に伴って、可動性の色素を放出し、同時にこの色素が受像材料１０８の色素固定層に転写されて、受像材料１０８に画像が得られることになる。
【００５３】
さらに、一対の無端ベルト１２２、１２４に対して材料供給方向下流側には、剥離爪１２８が配置されており、この剥離爪１２８が一対の無端ベルト１２２、１２４間で挟持搬送される感光材料１６と受像材料１０８のうち、感光材料１６の先端部のみに係合し、一対の無端ベルト１２２、１２４間より突出したこの感光材料１６の先端部を受像材料１０８から剥離させることができる。
【００５４】
剥離爪１２８の左方には感材排出ローラ１４８が配置されており、剥離爪１２８に案内されながら左方へ移動される感光材料１６を、更に廃棄感光材料収容部１５０側へ搬送し得るようになっている。
【００５５】
この廃棄感光材料収容部１５０は、感光材料１６が巻き付けられるドラム１５２及び、このドラム１５２に一部が巻き掛けられているベルト１５４を有している。さらに、このベルト１５４は複数のローラ１５６に巻き掛けられており、これらローラ１５６の回転によって、ベルト１５４が廻され、これに伴ってドラム１５２が回転するようになっている。
【００５６】
従って、ローラ１５６の回転によりベルト１５４が廻された状態で、感光材料１６が送り込まれると、感光材料１６がドラム１５２の周りに集積できるようになっている。
【００５７】
他方、図１に示される如く、一対の無端ベルト１２２、１２４の下方から左方に向かって受像材料１０８を搬送し得るように受材排出ローラ１６２、１６４、１６６、１６８、１７０が順に配置されており、一対の無端ベルト１２２、１２４から排出された受像材料１０８は、これら受材排出ローラ１６２、１６４、１６６、１６８、１７０によって搬送されて、トレイ１７２へ排出されることになる。
【００５８】
以下に本実施の形態の作用を説明する。
まず、スキャナ部ＳＣＮにおける、原稿画像の読取制御について、説明する。
【００５９】
プラテンガラス２０２面上に原稿を載置し、押さえカバー２０４を閉じ、操作／表示パネルのキー操作によって読取開始が指示されると、スキャニングが開始される。このスキャニングでは、ＣＣＤラインセンサ２３０のダイナミックレンジを最小濃度域が確実に読み取ることができ、かつ飽和しないように調整されている。
【００６０】
上記調整後、反射原稿の場合は反射原稿用光源２１０を点灯し、第１のキャリッジ２１４及び第２のキャリッジ２２０を同期させて動作を開始する。また、透過原稿の場合は透過原稿用光源４０８を点灯し、第１のキャリッジ２１４及び第２のキャリッジ２２０を同期させて動作を開始する。
【００６１】
このとき、第１のキャリッジ２１４の搬送速度Ｖ1 と、第２のキャリッジ２２０の搬送速度Ｖ2 との関係は、Ｖ1 ＝２Ｖ2 である。これを維持することによって、原稿画像面からＣＣＤラインセンサ２３０の受光面までの光路長を常に一定に維持することができる。
【００６２】
画像データは、パソコン等のＲＡＭメモリやハードディスクに記録され、所定の画像処理が施された後、プリンタ部ＰＲＴへ送られる。
【００６３】
ここで、第１のキャリッジ２１４及び第２のキャリッジ２２０の移動に伴い、装置全体が振動することがある。基本的に第１のキャリッジ２１４及び第２のキャリッジ２２０の単独の移動に起因する振動では、全く問題ないが、第１のキャリッジ２１４又は第２のキャリッジ２２０の振動に対して装置ケーシング等が共振したり、後述するプリンタ部ＰＲＴとの並行使用によって、プリンタ部ＰＲＴを震源とする共振が発生する場合がある。
【００６４】
このような振動が起きると、反射原稿用光源２１０又は透過原稿用光源４０８から出力するスリット光源が副走査方向にずれることがある。
【００６５】
このずれ量が大きいと、ＣＣＤラインセンサ２３０の読取幅（副走査方向）の範囲内で大きな光量変動が起き、読取精度が低下する。
【００６６】
そこで、本実施の形態では、図３（Ｂ）に示される如く、透過原稿用光源４０８と反射原稿用光源２１０におけるリフレクタ４０６、２１０Ｂの第２焦点を２点とし、光量の変動勾配を和らげ、ＣＣＤラインセンサ２３０の読取幅の約1.5 倍の範囲内で最大光量に対する最小光量の割合を80％以内とした。このため、上記共振等に起因する振動でスリット光が副走査方向にずれても、光量変動が少なく、読取精度を改善することができる。
【００６７】
なお、本実施の形態では、透過原稿用光源４０８のリフレクタ４０６、及び反射原稿用光源２１０のリフレクタ２１０Ｂをそれぞれ２分割し、第２の焦点をスリット光照射位置の中心線振り分けで２点とし（第１焦点は共にハロゲンランプ４０４、２１０Ａの位置）、所定幅内の光量変動を最小限に抑えたが、図６に示される如く、リフレクタ４０６、２１０Ｂの開口端に拡散ガラス４１０を設けることにより、さらに光量変動を抑制することができる。このような拡散ガラス４１０を設けることは、リフレクタ４０６、２１０Ｂを分割せず、従来の第２焦点が１点のタイプであっても効果を得ることができるが、第２焦点分割と併用する方がより効果を増すことができる。
【００６８】
また、リフレクタ４０６、２１０Ｂによる反射光を原稿上で焦点をなくすようにしてもよい。すなわち、第２焦点位置を深度方向にずらしてもよいし、リフレクタ４０６、２１０Ｂによる反射光を平行光としてもよい。
【００６９】
次に、プリンタ部ＰＲＴの動作を説明する。
感材マガジン１４がセットされた後には、ニップローラ１８が作動され、感光材料１６がニップローラ１８によって引き出される。感光材料１６が所定長さ引き出されると、カッタ２０が作動して、感光材料１６が所定長さに切断されると共に、その感光（露光）面を左方へ向けた状態で露光部２２へ搬送される。そして、この感光材料１６の露光部２２の通過と同時に露光装置３８が作動し、露光部２２に位置する感光材料１６へ画像が走査露光される。露光装置３８には、前述したスキャナＳＣＮ部で読み取った画像データがパソコンで画像処理されて入力されており、この入力されたデータに基づいて光源の光量が制御され、画像が走査露光される。光源としては、レーザ（半導体レーザ）を用いる場合には、デューティ制御によって光量が制御されたレーザビームの光軸を振り子の如く往復移動させることにより主走査を行い、感光材料１６の移動を副走査とすればよい。
【００７０】
また、光源として、ＬＥＤ等の主走査方向に配列してＬＥＤアレイを用いる場合には、ＬＥＤ光源を電流又は電圧制御して光量を制御し、１主走査を同時期に行うようにすればよい。
【００７１】
露光が終了すると、露光後の感光材料１６は、水塗布部５０に送られる。水塗布部５０において画像形成用溶媒としての水が塗布された感光材料１６は、搬送ローラ３４によって熱現像転写部１２０の一対の無端ベルト１２２、１２４間へ送り込まれる。
【００７２】
他方、感光材料１６へ走査露光されるに伴って、受像材料１０８も受材マガジン１０６からニップローラ１１０によって引き出されて搬送される。受像材料１０８が所定長さ引き出されると、カッタ１１２が作動して受像材料１０８が所定長さに切断される。
【００７３】
カッタ１１２の作動後は、切断された受像材料１０８がガイド板によって案内されながら搬送ローラ１３２、１３４、１３６、１３８によって搬送される。受像材料１０８の先端部が搬送ローラ１３８によって挟持されると、受像材料１０８は熱現像転写部１２０の直前で待機状態となる。
【００７４】
そして、前述のように感光材料１６が搬送ローラ３４によって一対の無端ベルト１２２、１２４間へ送り込まれるのに伴って、受像材料１０８の搬送が再開されて、一対の無端ベルト１２２、１２４間へ受像材料１０８が感光材料１６と一体的に送り込まれる。
【００７５】
この結果、感光材料１６と受像材料１０８が重ねられ、感光材料１６と受像材料１０８とが加熱板１２６により加熱されつつ挟持搬送されて、熱現像転写を行って画像を受像材料１０８に形成する。
【００７６】
さらに、一対の無端ベルト１２２、１２４からこれらが排出されると、受像材料１０８よりも所定長さ先行して搬送される感光材料１６の先端部に剥離爪１２８が係合し、感光材料１６の先端部を受像材料１０８から剥離する。この感光材料１６は、さらに感材排出ローラ１４８によって搬送され、廃棄感光材料収容部１５０内に集積される。この際、感光材料１６はすぐに乾燥するので、感光材料１６を乾燥させる為に、ヒータ類をさらに設ける必要がなくなる。
【００７７】
一方、感光材料１６と分離された受像材料１０８は、受材排出ローラ１６２、１６４、１６６、１６８、１７０によって搬送され、トレイ１７２へ排出される。
【００７８】
そして、複数枚の画像記録処理を実施する場合には、以上の工程が順次連続して行なわれる。
【００７９】
このように、一対の無端ベルト１２２、１２４に挟まれて熱現像転写処理されて所定の画像が形成（記録）された受像材料１０８は、一対の無端ベルト１２２、１２４から排出された後に、複数の受材排出ローラ１６２、１６４、１６６、１６８、１７０によって挟持搬送されて装置外のトレイ１７２へ排出される。
【００８０】
【発明の効果】
以上説明した如く請求項１に記載の発明では、反射面が円弧状に凹陥された集光型のリフレクタを２分割することで、振動でずれる幅を実験的、経験的に求め、その求めた幅よりも若干広めの幅としたので、画像読取時に振動によってスリット光の照射位置がずれても固体撮像素子により読み取る領域（読取幅）内で透過又は反射光の光量変動が生じることを防止することができるという優れた効果を有する。
【図面の簡単な説明】
【図１】  本実施の形態に係る画像読取／記録装置の概略全体構成図である。
【図２】  スキャナ部の上部を示す斜視図である。
【図３】  （Ｂ）は本実施の形態に係る光源ユニット（透過原稿用）の拡大図、（Ａ）は従来の光源ユニット（透過原稿用）の拡大図である。
【図４】  図３（Ａ）及び（Ｂ）の光源の光量分布特性図である。
【図５】  本実施の形態に係る光源ユニット（反射原稿用）の拡大図である。
【図６】  図３（Ｂ）の変形例に係る光源ユニットの拡大図である。
【符号の説明】
１０    画像読取／記録装置
ＳＣＮ    スキャナ部
ＰＲＴ    プリンタ部
２０２    プラテンガラス
２１０    反射原稿用光源
２１０Ａ    ハロゲンランプ
２１０Ｂ    リフレクタ
２１４    第１のキャリッジ
２２０    第２のキャリッジ
２３０    ＣＣＤラインセンサ（固体撮像素子）
４０４    ハロゲンランプ
４０６    リフレクタ
４０８    透過原稿用光源
【図１】
0003903091.tif 000002
【図２】
0003903091.tif 000003
【図３】
0003903091.tif 000004
【図４】
0003903091.tif 000005
【図５】
0003903091.tif 000006
【図６】
0003903091.tif 000007